(57)【要約】      （修正有）【課題】必要なパーツを紛失することなく、収納スペースを節約することも可能な飛沫感染防止シールドを提供する。【解決手段】使用者を対面者からの飛沫感染から守る飛沫感染防止シールドであって、全体を板状のシートに拡げることが可能であり、材質は透光性のプラスチックであり、シートを折り曲げる箇所を示す線状の屈曲ガイドを備え、折り曲げられて使用者と対面者との間に設置された状態において、使用者と対面者とを互いに遮る略長方形の形状の前面３５と、使用者から見て前面の左辺に接続されている略長方形の形状の左側面３７と、前面の右辺に接続されている略長方形の形状の右側面３９とをさらに備え、屈曲ガイドを、左辺及び右辺に備える。【選択図】図２
0003227293.tif 000002
【実用新案登録請求の範囲】
【請求項１】
使用者を対面者からの飛沫感染から守る飛沫感染防止シールドであって、
全体を板状のシートに拡げることが可能であり、
前記シートの材質は透光性のプラスチックであり、
前記シートは、
当該シートを折り曲げる箇所を示す線状の屈曲ガイドを備え、
折り曲げられて前記使用者と前記対面者との間に設置された状態において、
前記使用者と前記対面者とを互いに遮る略長方形の形状の前面と、
前記使用者から見て前記前面の左辺に連続的に接続されている略長方形の形状の左側面と、
前記使用者から見て前記前面の右辺に連続的に接続されている略長方形の形状の右側面とをさらに備え、
前記屈曲ガイドを、前記左辺及び前記右辺に備える、飛沫感染防止シールド。
【請求項２】
前記前面、前記左側面、及び、前記右側面のいずれかに、合わせて２つの孔をさらに備え、
２つの前記孔は、それぞれ前記使用者の手首が入る大きさである、請求項1記載の飛沫感染防止シールド。
【請求項３】
２つの前記孔を、前記左側面と前記右側面とにそれぞれ１つずつ備え、
前記孔の周りに、
前記孔に接続した切れ込みであって、前記孔の中心から放射する方向に入った複数の切れ込みと、
複数の前記切れ込みの間に存在し、前記孔と複数の前記切れ込みとに囲まれた領域である折曲部を折り曲げる箇所を示す引抜ガイドとをさらに備える、請求項２記載の飛沫感染防止シールド。
【請求項４】
前記シートは、折り曲げられて前記使用者と前記対面者との間に設置された状態において、
前記使用者から見て前記前面の上辺に連続的に接続されている略長方形の形状の上面をさらに備え、
前記上面が前記前面の左辺の延長線上に設けられた突起である左ツメ部を有すると共に、前記左側面が前記前面の上辺の延長線上に設けられて前記左ツメ部を差し込んで固定できる左スリットを有し、及び／又は、
前記上面が前記前面の右辺の延長線上に設けられた突起である右ツメ部を有すると共に、前記右側面が前記前面の上辺の延長線上に設けられて前記右ツメ部を差し込んで固定できる右スリットを有する、請求項１から３のいずれかに記載の飛沫感染防止シールド。
【請求項５】
前記シートは、折り曲げられて前記使用者と前記対面者との間に設置された状態において、
前記左側面と前記右側面とが、一方が前記前面から前記使用者の側に折り曲げられており、他方が前記前面から前記対面者の側に折り曲げられている、請求項１から４のいずれかに記載の飛沫感染防止シールド。
【請求項６】
前記シートは、折り曲げられて前記使用者と前記対面者との間に設置された状態において、
前記使用者から見て前記前面の上辺に連続的に接続されている略長方形の形状の上面を備える、請求項５記載の飛沫感染防止シールド。
【請求項７】
前記シートは、折り曲げられて前記使用者と前記対面者との間に設置された状態において、
前記使用者から見て前記前面の下辺と同じ高さにある前記左側面の下辺である左側面下辺に連続的に接続されている左底面をさらに備え、及び／又は、
前記使用者から見て前記前面の下辺と同じ高さにある前記右側面の下辺である右側面下辺に連続的に接続されている右底面をさらに備える、請求項５又は６記載の飛沫感染防止シールド。
【請求項８】
前記シートは、折り曲げられて前記使用者と前記対面者との間に設置された状態において、
前記前面の下辺を含み、前記前面から前記使用者の側に折り曲げられる第１前面脚部と、
前記前面の下辺を含み、前記前面から前記対面者の側に折り曲げられる第２前面脚部とをさらに備える、請求項５から７のいずれかに記載の飛沫感染防止シールド。
【請求項９】
使用者を対面者からの飛沫感染から守る飛沫感染防止シールドに変形可能な飛沫感染防止シートであって、
板状の形状であり、
材質は透光性のプラスチックであり、
当該飛沫感染防止シートを折り曲げる箇所を示す線状の屈曲ガイドを備え、
前記飛沫感染防止シールドは、
折り曲げられて前記使用者と前記対面者との間に設置された状態において、
前記使用者と前記対面者とを互いに遮る略長方形の形状の前面と、
前記使用者から見て前記前面の左辺に連続的に接続されている略長方形の形状の左側面と、
前記使用者から見て前記前面の右辺に連続的に接続されている略長方形の形状の右側面とを備えるものであり、
前記屈曲ガイドを前記左辺及び前記右辺に備える、飛沫感染防止シート。
【考案の詳細な説明】
【技術分野】
【０００１】
本考案は、飛沫感染防止シールド及び飛沫感染防止シートに関するものであり、特に、使用者を対面者からの飛沫感染から守る飛沫感染防止シールド等に関するものである。
【背景技術】
【０００２】
医療従事者が患者や被験者と接する際、患者や被験者の咳やくしゃみをすることによる飛沫感染のリスクが存在する。
【０００３】
従来、医療従事者の飛沫感染リスクを防止するために、様々な飛沫感染防止シールドが提案されてきた。
【０００４】
このうち、卓上に設置するものは、感染防止シールドが安定に設置できるものである必要がある。そのため、シールド面に設けられた切れ込みに対して、同じく切れ込みの入った支持パーツをシールド面に対して垂直に差し込むことにより、安定に設置するものが知られている。あるいは、金属製の支持パーツ等をネジやビス等の固定具でシールド面に固定して安定に設置するものも知られている。
【０００５】
また、立体的なカバーを患者や被験者の顔に覆いかぶせ、カバーに設けられた丸い孔から医療従事者が手や腕を差し込んで診療や検査を行うものもエアロゾルボックスとして知られている。
【考案の概要】
【考案が解決しようとする課題】
【０００６】
しかしながら、シールド面と支持パーツとが分離可能なものは、収納後に支持パーツ等を紛失する可能性がある。
【０００７】
また、支持パーツをシールド面に固定するものや立体的な形状のカバーは、収納時にかさばるために多数を保管できないデメリットがある。
【０００８】
そこで、本考案は、必要なパーツを紛失することなく、収納スペースを節約することも可能な飛沫感染防止シールド等を提供することを目的とする。
【課題を解決するための手段】
【０００９】
本考案の第１の観点は、使用者を対面者からの飛沫感染から守る飛沫感染防止シールドであって、全体を板状のシートに拡げることが可能であり、前記シートの材質は透光性のプラスチックであり、前記シートは、当該シートを折り曲げる箇所を示す線状の屈曲ガイドを備え、折り曲げられて前記使用者と前記対面者との間に設置された状態において、前記使用者と前記対面者とを互いに遮る略長方形の形状の前面と、前記使用者から見て前記前面の左辺に連続的に接続されている略長方形の形状の左側面と、前記使用者から見て前記前面の右辺に連続的に接続されている略長方形の形状の右側面とをさらに備え、前記屈曲ガイドを、前記左辺及び前記右辺に備える、飛沫感染防止シールドである。
【００１０】
本考案の第２の観点は、第２の観点の飛沫感染防止シールドであって、  前記前面、前記左側面、及び、前記右側面のいずれかに、合わせて２つの孔をさらに備え、２つの前記孔は、それぞれ前記使用者の手首が入る大きさである。
【００１１】
本考案の第３の観点は、第２の観点の飛沫感染防止シールドであって、２つの前記孔を、前記左側面と前記右側面とにそれぞれ１つずつ備え、前記孔の周りに、前記孔に接続した切れ込みであって、前記孔の中心から放射する方向に入った複数の切れ込みと、複数の前記切れ込みの間に存在し、前記孔と複数の前記切れ込みとに囲まれた領域である折曲部を折り曲げる箇所を示す引抜ガイドとをさらに備える。
【００１２】
本考案の第４の観点は、第１から第３のいずれかの観点の飛沫感染防止シールドであって、前記シートは、折り曲げられて前記使用者と前記対面者との間に設置された状態において、前記使用者から見て前記前面の上辺に連続的に接続されている略長方形の形状の上面をさらに備え、前記上面が前記前面の左辺の延長線上に設けられた突起である左ツメ部を有すると共に、前記左側面が前記前面の上辺の延長線上に設けられて前記左ツメ部を差し込んで固定できる左スリットを有し、及び／又は、前記上面が前記前面の右辺の延長線上に設けられた突起である右ツメ部を有すると共に、前記右側面が前記前面の上辺の延長線上に設けられて前記右ツメ部を差し込んで固定できる右スリットを有する。
【００１３】
本考案の第５の観点は、第１から第４のいずれかの観点の飛沫感染防止シールドであって、前記シートは、折り曲げられて前記使用者と前記対面者との間に設置された状態において、前記左側面と前記右側面とが、一方が前記前面から前記使用者の側に折り曲げられており、他方が前記前面から前記対面者の側に折り曲げられている。
【００１４】
本考案の第６の観点は、第５の観点の飛沫感染防止シールドであって、前記シートは、折り曲げられて前記使用者と前記対面者との間に設置された状態において、前記使用者から見て前記前面の上辺に連続的に接続されている略長方形の形状の上面を備える。
【００１５】
本考案の第７の観点は、第５又は第６の観点の飛沫感染防止シールドであって、前記シートは、折り曲げられて前記使用者と前記対面者との間に設置された状態において、前記使用者から見て前記前面の下辺と同じ高さにある前記左側面の下辺である左側面下辺に連続的に接続されている左底面をさらに備え、及び／又は、前記使用者から見て前記前面の下辺と同じ高さにある前記右側面の下辺である右側面下辺に連続的に接続されている右底面をさらに備える。
【００１６】
本考案の第８の観点は、第５から第７のいずれかの観点の飛沫感染防止シートであって、前記シートは、折り曲げられて前記使用者と前記対面者との間に設置された状態において、前記前面の下辺を含み、前記前面から前記使用者の側に折り曲げられる第１前面脚部と、前記前面の下辺を含み、前記前面から前記対面者の側に折り曲げられる第２前面脚部とをさらに備える。
【００１７】
本考案の第９の観点は、使用者を対面者からの飛沫感染から守る飛沫感染防止シールドに変形可能な飛沫感染防止シートであって、板状の形状であり、材質は透光性のプラスチックであり、当該飛沫感染防止シートを折り曲げる箇所を示す線状の屈曲ガイドを備え、前記飛沫感染防止シールドは、折り曲げられて前記使用者と前記対面者との間に設置された状態において、前記使用者と前記対面者とを互いに遮る略長方形の形状の前面と、前記使用者から見て前記前面の左辺に連続的に接続されている略長方形の形状の左側面と、前記使用者から見て前記前面の右辺に連続的に接続されている略長方形の形状の右側面とを備えるものであり、前記屈曲ガイドを前記左辺及び前記右辺に備える、飛沫感染防止シートである。
【００１８】
本考案の第１０の観点は、使用者を対面者からの飛沫感染から守る飛沫感染防止シールドを飛沫感染防止シートから生産する飛沫感染防止シールド生産方法であって、前記飛沫感染防止シートは、板状の形状であり、前記飛沫感染防止シートの材質は透光性のプラスチックであり、当該シートを折り曲げる箇所を示す線状の屈曲ガイドを備え、前記飛沫感染防止シールドは、折り曲げられて前記使用者と前記対面者との間に設置された状態において、前記使用者と前記対面者とを互いに遮る略長方形の形状の前面と、前記使用者から見て前記前面の左辺に連続的に接続されている略長方形の形状の左側面と、前記使用者から見て前記前面の右辺に連続的に接続されている略長方形の形状の右側面とを備えるものであり、前記屈曲ガイドを前記左辺及び前記右辺に備え、前記飛沫感染防止シートが前記屈曲ガイドに沿って折り曲げられる折り曲げステップを含む、飛沫感染防止シールド生産方法である。
【考案の効果】
【００１９】
本考案の各観点によれば、輸送時には平坦でかさばらずに効率よく輸送できる上に、飛沫感染防止シールド全体がつながっているために支持パーツを紛失するおそれもない、飛沫感染防止シールド等を提供可能となる。また、収納する際にも、平坦な形状として収納スペースを節約することが可能となる。
【００２０】
しかも、透光性のプラスチック材料であるため、頑丈であることに加えて、使用時に使用者が対面者を明瞭に認識可能である。また、シートに付着した飛沫をアルコール消毒した際にもシートを劣化させずに継続して使用することが可能となる。
【００２１】
また、本考案の第２の観点によれば、使用者が手首を孔に差し入れて対面者に触れる必要がある診療時や検査時に、使用者と対面者の間の飛沫感染を防止可能な飛沫感染防止シールドも提供可能となる。
【００２２】
さらに、本考案の第３の観点によれば、使用者が孔に入れていた手首を引き抜く際、手が孔に引っかかったとしても、手を傷つけずに抜くことが容易となる。
【００２３】
さらに、本考案の第４の観点によれば、上面を折り曲げて、左側面及び／又は右側面に固定可能となる。そのため、飛沫感染防止シールドの形状を安定に保持することが容易となる。
【００２４】
さらに、本考案の第５の観点によれば、左側面と右側面とを前面に対して前後に折り曲げることにより、飛沫感染防止シールドの剛性が上がる。しかも、飛沫感染防止シールドの重心が前面上に存在することとなり、左側面と右側面とを前面に対して同じ側に折り曲げる場合と比較して安定に自立させることが可能となる。
【００２５】
さらに、本考案の第６の観点によれば、飛沫感染防止シールドの剛性が上がると共に、前面のひねりを抑制することで自立の安定性が増す。そのため、使用者が飛沫感染防止シールドを快適に使用することが容易となる。
【００２６】
さらに、本考案の第７の観点によれば、左底面及び／又は右底面を、飛沫感染防止シールドを設置する机等にガムテープや両面テープで固定することが可能となる。そのため、飛沫感染防止シールドをさらに安定に設置することが容易となる。
【００２７】
さらに、本考案の第８の観点によれば、飛沫感染防止シールドをさらに安定に設置することが可能となる。
【図面の簡単な説明】
【００２８】
【図１】実施例１に係る飛沫感染防止シート及び飛沫感染防止シールドを示す図である。
【図２】実施例２に係る飛沫感染防止シート及び飛沫感染防止シールドを示す図である。
【図３】実施例３に係る飛沫感染防止シート及び飛沫感染防止シールドを示す図である。
【図４】実施例４に係る飛沫感染防止シート及び飛沫感染防止シールドを示す図である。
【考案を実施するための形態】
【００２９】
以下、図を参照して本考案の実施形態について詳細に説明する。なお、本考案の実施の形態は、以下の記載に限定されるものではない。
【実施例１】
【００３０】
図１は、実施例１に係る(a)飛沫感染防止シート１、(b)飛沫感染防止シールド３、及び、(c)飛沫感染防止シールド３の一部を拡大した図を示す図である。飛沫感染防止シート１は、折り曲げることで窓口業務等に従事する使用者を、使用者に対面している対面者からの飛沫感染から守ると共に、対面者を使用者からの飛沫感染から守る飛沫感染防止シールド３に変形可能な板状のシートである。飛沫感染防止シート１の材質は、透光性のプラスチックであり、例えば、透明のポリエチレンテレフタレート（ＰＥＴ）である。
【００３１】
図１(a)を参照して、飛沫感染防止シート１は、前面５と、左側面７と、右側面９とを備える。前面５は、前上辺１１と、前左辺１３と、前右辺１５と、前下辺１７１及び１７２と、窓１９とに囲まれており、略長方形の形状である。なお、前下辺１７１及び１７２に共通する点について述べる際は添え字を省略することがある。以下、他の符号についても同様である。
【００３２】
左側面７は、前左辺１３において前面５と連続的に接続されており、略長方形の形状である。右側面９は、前右辺１５において前面５と連続的に接続されており、略長形の形状である。
【００３３】
窓１９は、前上辺１１と向かい合う辺であって前下辺１７よりも前上辺１１に近い窓上辺２３と、窓上辺２３及び前下辺１７１とをつなぐ窓左辺２５と、窓上辺２３及び前下辺１７２とをつなぐ窓右辺２７とが規定する切り欠け部である。
【００３４】
図１(b)を参照して、飛沫感染防止シート１は、前左辺１３及び前右辺１５を曲げ罫線２１（本願請求の範囲における「屈曲ガイド」の一例）に沿って折り曲げることで飛沫感染防止シールド３に変形可能である。曲げ罫線２１は、板状の厚みが薄くなっていることにより、使用者が折り曲げやすくなっている。
【００３５】
ここで、前左辺１３と前右辺１５とを同じ方向に折り曲げるのではなく、例えば、前左辺１３を使用者の側に折り曲げ、前右辺１５を対面者の側に折り曲げる。このように折り曲げることで、飛沫感染防止シールド３の重心が前面５の面上に位置することとなる。そのため、同じ方向に折り曲げた場合と比べて、飛沫感染防止シールド３を安定して自立させることが容易となる。
【００３６】
また、飛沫感染防止シールド３は、窓１９を介して現金の授受といった窓口業務等に必要な物の授受を使用者と対面者との間で行うことが可能である。
【００３７】
なお、図１(c)を参照して、飛沫感染防止シート１を曲げ罫線２１に沿って折り曲げる際は、一度設置用の角度よりも大きく曲げてから適切な角度に戻すと望む角度に維持しやすい。そのため、飛沫感染防止シールド３として適切な形状を保持しやすい。また、飛沫感染防止シート１を飛沫感染防止シールド３に変形できるだけでなく、飛沫感染防止シールド３を飛沫感染防止シート１に戻すことも可能である。そのため、平面化できない従来の飛沫感染防止シールドと比較すると、収納スペースを節約可能である。
【実施例２】
【００３８】
図２は、実施例２に係る(a)飛沫感染防止シート３１、(b)飛沫感染防止シールド３３１、及び、(c)飛沫感染防止シールド３３２を示す図である。飛沫感染防止シート３１も、折り曲げることで窓口業務等に従事する使用者を、使用者に対面している対面者からの飛沫感染から守ると共に、対面者を使用者からの飛沫感染から守る飛沫感染防止シールド３３に変形可能な板状のシートである。また、実施例１と同様の構成については特に記載しない。
【００３９】
図２(a)を参照して、飛沫感染防止シート３１は、前面３５と、左側面３７と、右側面３９と、前上面４１と、左底面４３と、右底面４４とを備える。
【００４０】
前面３５は、前上辺４５と、前左辺４７と、前右辺４９と、前下辺５１１及び５１２と、窓部５３とに囲まれており、略長方形の形状である。左側面３７は、前面３５の前左辺４７に連続的に接続されており、略長方形の形状である。右側面３９は、前面３５の前右辺４９に連続的に接続されており、略長方形の形状である。前上面４１は、前面３５の前上辺４５に連続的に接続されており、略長方形の形状である。左底面４３は、左側面３７の下辺である左下辺５５に連続的に接続されており、略長方形の形状である。右底面４４は、右側面３９の下辺である右下辺５７に連続的に接続されており、略長方形の形状である。
【００４１】
窓部５３は、窓上面５９と、窓左脚部６１と、窓右脚部６３とを有する。窓上面５９は、窓上辺６７、左切込部６９、右切込部７１、窓下辺７３とに囲まれた面である。窓上面５９は、前面３５と窓上辺６７において連続的に接続されており、略台形の形状である。左切込部６９は、窓上面５９と窓左脚部６１との間に入った切込である。右切込部７１は、窓上面５９と窓右脚部６３との間に入った切込である。左切込部６９及び右切込部７１があるため、窓上面５９、窓左脚部６１及び窓右脚部６３は、それぞれ窓上辺６７、窓左辺７５及び窓右辺７７を折り曲げることができる。
【００４２】
図２(a)において、曲げ罫線は、前上辺４５、前左辺４７、前右辺４９、左下辺５５、右下辺５７、窓上辺６７、窓左辺７５及び窓右辺７７に形成されている。
【００４３】
図２(b)及び図２(c)を参照して、飛沫感染防止シート３１は、曲げ罫線に沿って折り曲げることで飛沫感染防止シールド３３に変形可能である。
【００４４】
ここで、前上面４１及び窓上面５９があることにより、飛沫感染防止シールド３３の剛性が増す。具体的には、前面３５のひねりを防止することが容易となる。
【００４５】
また、左底面４３及び右底面４５は、飛沫感染防止シールド３３を机等の上に設置する際、ガムテープや両面テープを用いて机等に固定することが可能となる。そのため、飛沫感染防止シールド３３をさらに安定に設置することが容易となる。したがって、左側面３７及び右側面３９を両方とも使用者の側に折り曲げて、対面者からの見映えを改善することも容易となる。
【００４６】
また、飛沫感染防止シールド３３は、窓左脚部６１及び窓右脚部６３を折り曲げることにより、さらに安定して自立させることが容易となる。この際、窓左脚部６１及び窓右脚部６３は、左側面３７及び右側面３９とは、それぞれ反対側に折り曲げることで、それぞれ左底面４３及び右底面４５と接触することなく安定して自立させることができる。
【実施例３】
【００４７】
図３は、実施例３に係る(a)飛沫感染防止シート１０１、(b)飛沫感染防止シールド１０３、及び、(c)飛沫感染防止シールドの一部の拡大図を示す図である。飛沫感染防止シート１０１は、折り曲げることで患者の診察等に従事する使用者を、使用者に対面している患者等の対面者からの飛沫感染から守ると共に、対面者を使用者からの飛沫感染から守る飛沫感染防止シールド１０３に変形可能な板状のシートである。また、他実施例１と同様の構成については特に記載しない。
【００４８】
図３(a)を参照して、飛沫感染防止シート１０１は、前面１０５と、左側面１０７と、右側面１０９と、左折面１１１と、右折面１１３とを備える。左側面１０７は、前左辺１１５において前面１０５と連続的に接続されている。右側面１０９は、前右辺１１７において前面１０５と連続的に接続されている。左折面１１１は、左側面１０７の前左辺１１５と向かい合う左左辺１１９において左側面１０７と連続的に接続されており、略長方形の形状である。右折面１１３は、右側面１０９の前右辺１１７と向かい合う右右辺１２１において右側面１０９と連続的に接続されており、略長方形の形状である。左側面１０７及び右側面１０９は、左孔部１２３１及び右孔部１２３２をそれぞれ有する。
【００４９】
図３(b)を参照して、使用者は、左孔部１２３１から左手を出し、右孔部１２３２から右手を出すことにより、対面者との間で飛沫感染を防止しつつ、診察等の作業を実施することが可能である。
【００５０】
図３(c)を参照して、左孔部１２３１及び右孔部１２３２をまとめて称する孔部１２３について述べる。孔部１２３は、孔１３１の周りに孔１３１に接続した切れ込みであって、孔１３１の中心から放射する方向に入った複数の切れ込み１３３１〜１３３８を有する。また、孔部１２３は、複数の切れ込み１３３の間に存在し、孔１３１と複数の切れ込み１３３とに囲まれた領域である折曲部１３５１〜１３５８を有する。折曲部１３５は、折り曲げやすく線状に凹んだ曲げ罫線として、孔１３１から近い順に、第１引抜ガイド１３７１、第２引抜ガイド１３７２、及び、第３引抜ガイド１３７３を複数の切れ込み１３３の間をつなぐように有する。
【００５１】
このように、孔１３１は使用者の手首が入る程度の大きさであるため、飛沫感染を効果的に防止することができる。さらに、使用者が手を孔部１２３から引き抜く際に手が孔部１２３に引っかかったとしても、引抜ガイド１３７が容易に折れ曲がることで使用者が手を傷つけずに抜くことが容易となる。そのため、使用者の手を保護することが可能となる。
【００５２】
また、左折面１１１及び右折面１１３を折り曲げることにより、飛沫感染防止シールド１０３の剛性を向上させ、形状を維持することが容易となる。
【実施例４】
【００５３】
図４は、実施例３に係る(a)飛沫感染防止シート２０１、(b)飛沫感染防止シールド２０３を示す図である。飛沫感染防止シート２０１は、折り曲げることで被験者の検査等に従事する使用者を、使用者に対面している患者等の対面者からの飛沫感染から守ると共に、対面者を使用者からの飛沫感染から守る飛沫感染防止シールド２０３に変形可能な板状のシートである。また、他実施例と同様の構成については特に記載しない。
【００５４】
図４(a)を参照して、飛沫感染防止シート２０１は、前面２０５と、左側面２０７と、右側面２０９と、上面２１１と、前下折面２１３と、左折面２１５と、左上折面２１７と、左下折面２１９と、右折面２２１と、右上折面２２３と、右下折面２２５と、上左折面２２７と、上右折面２２９と、上上折面２３１とを備える。
【００５５】
前面２０５は、前上辺２３３と、前左辺２３５と、前下辺２３７と、前右辺２３９に囲まれており、略長方形の形状である。また、前面２０５は、円形の左孔２４１及び右孔２４３を有する。左側面２０７は、左上辺２４５と、左左辺２４７と、左下辺２４９と、前左辺２３５に囲まれており、略長方形の形状である。右側面２０９は、右上辺２５３と、前右辺２３９と、右下辺２５７と、右右辺２５５に囲まれており、略長方形の形状である。上面２１１は、上上辺２６１と、上左辺２６３と、前上辺２３３と、上右辺２６５に囲まれており、略長方形の形状である。
【００５６】
左折面２１５は、左左辺２４７において左側面２０７と連続的に接続されており、略長方形の形状である。左上折面２１７は、左上辺２４５において左側面２０７と連続的に接続されており、略長方形の形状である。左下折面２１９は、左下辺２４９において左側面２０７と連続的に接続されており、略長方形の形状である。右折面２２１は、右右辺２５５において右側面２０９と連続的に接続されており、略長方形の形状である。右上折面２２３は、右上辺２５３において右側面２０９と連続的に接続されており、略長方形の形状である。右下折面２２５は、右下辺２５７において右側面２０９と連続的に接続されており、略長方形の形状である。上左折面２２７は、上左辺２６３において上面２１１と連続的に接続されており、略台形の形状である。上右折面２２９は、上右辺２６５において上面２１１と連続的に接続されており、略台形の形状である。上上折面２３１は、上上辺２６１において上面２１１と連続的に接続されており、略長方形の形状である。
【００５７】
上面２１１は、前左辺２３５の延長線上にある上左辺２６３に設けられた突起である左ツメ部２６７１及び２６７２を有する。また、上面２１１は、前右辺２３９の延長線上にある上右辺２６５に設けられた突起である右ツメ部２６９１及び２６９２を有する。また、左側面２０７は、前上辺２３３の延長線上にある左上辺２４５に左ツメ部２６７を差し込んで固定できるスリットである左スリット２５１１及び２５１２を有する。さらに、右側面２０９は、前上辺２３３の延長線上にある右上辺２５３に右ツメ部２６９を差し込んで固定できるスリットである右スリット２５９１及び２５９２を有する。
【００５８】
図４(b)を参照して、左ツメ部２６７及び右ツメ部２６９をそれぞれ左スリット２５１及び右スリット２５９に差し込むことにより、飛沫感染防止シールド２０３の形状を確実に保持させることが可能となる。また、各折面を全て折り曲げることにより、飛沫感染防止シールドの剛性を上げることが可能となる。飛沫感染防止シールド２０３は、被験者である対面者にかぶせるように使用される。使用者は、孔から手を差し込むことにより、使用者と対面者との間の飛沫感染を防止しつつ、検査等の作業を行うことができる。
【００５９】
なお、実施例２において、窓左脚部６１及び窓右脚部６３がある方が自立の安定性を増すことができるが、これらを有さない構成であってもよい。同様に、前上面４１、左底面４３、右底面４５、窓上面５９のいずれか又は複数を有さない構成であってもよい。
【００６０】
また、実施例４の孔は、実施例３のように折曲部１３５等を有する孔部１２３のような構造であってもよい。
【符号の説明】
【００６１】
１；飛沫感染防止シート、３；飛沫感染防止シールド、５；前面、７；左側面、９；右側面、１９；窓、２１；曲げ罫線、３１；飛沫感染防止シート、３３；飛沫感染防止シールド、３５；前面、３７；左側面、３９；右側面、４１；前上面、４３；左底面、４４；右底面、５３；窓部、５９；窓上面、６１；窓左脚部、６３；窓右脚部、１０１；飛沫感染防止シート、１０３；飛沫感染防止シールド、１０５；前面、１０７；左側面、１０９；右側面、１１１；左折面、１１３；右折面、１２３；孔部、１３１；孔、１３３；切れ込み、１３５；折曲部、１３７；引抜ガイド、２０１；飛沫感染防止シート、２０３；飛沫感染防止シールド、２０５；前面、２０７；左側面、２０９；右側面、２１１；上面、２１３；前下折面、２１５；左折面、２１７；左上折面、２１９；左下折面、２２１；右折面、２２３；右上折面、２２５；右下折面、２２７；上左折面、２２９；上右折面、２３１；上上折面、２４１；左孔、２４３；右孔、２５１；左スリット、２５９：右スリット、２６７；左ツメ部、２６９；右ツメ部
【図１】
0003227293.tif 000003
【図２】
0003227293.tif 000004
【図３】
0003227293.tif 000005
【図４】
0003227293.tif 000006